【手続補正書】
【提出日】平成18年3月23日(2006.3.23)
【手続補正１】
【補正対象書類名】明細書
【補正対象項目名】特許請求の範囲
【補正方法】変更
【補正の内容】
【特許請求の範囲】
【請求項１】  符号化システムであって、
複数の情報フレーム（ＩＮ）を受信して処理し、これによって複数の予備処理された情報フレーム（ＩＮ’）を発生するプリプロセッサ（１０１、１０２）であり、前記プリプロセッサは、前記複数の情報フレーム内でフレーム間情報不連続性を識別して印を発生し、前記複数の情報フレームから冗長フレームを除去するプリプロセッサ（１０１、１０２）と、
実質的にフレームグループ（ＧＯＦ）情報構造に従って前記複数の予備処理された情報フレームの各々を符号化するエンコーダ（１０４）と、
前記複数の情報フレーム内の前記フレーム間情報不連続性の前記印（ＳＣＮ、ＳＣＰ）に反応して前記ＧＯＦ情報構造を適応し、前記複数の情報フレーム内の冗長フレームの除去に反応して前記ＧＯＦ情報構造に関連したビット割り当てレベルを適応するコントローラ（１４０）と
を備え、
前記プリプロセッサは、前記複数の情報フレームの空間的雑音パラメータと一時的雑音パラメータの内の少なくとも一方を測定し、
前記プリプロセッサは、前記空間的雑音パラメータが空間的雑音しきい値レベルを超えたことに反応して、空間的平滑化機能を前記複数の情報フレームの内の１つ以上に付与し、
前記プリプロセッサは、前記一時的雑音パラメータが一時的雑音しきい値レベルを超えたことに反応して、一時的平滑化機能を前記複数の情報フレームの内の１つ以上に付与する、
当該符号化システム（１００）。
【請求項２】  前記プリプロセッサが各情報フレームを空間的に分解して、個別の詳細ピラミッドを形成し、
前記エンコーダが、前記詳細ピラミッドを用いて、前記複数の予備処理された情報フレームの非アンカー情報フレームの上方領域の動作を推定する動作推定モジュールを備える、請求項１に記載の符号化システム。
【請求項３】  前記プリプロセッサが前記詳細ピラミッドの各々をそれぞれの圧縮されたデータ詳細ピラミッド表示物にパッキングし、
前記動作推定モジュールが、前記圧縮済みデータ詳細ピラミッド表示物を利用して動作を推定する、請求項２に記載の符号化システム。
【請求項４】  前記エンコーダがさらに、
前記エンコーダが発生した各アンカーフレームを復号化するアンカーフレームデコーダ（１２５、１３０）と、
復号化された各アンカーフレームをそれぞれの圧縮済みデータ表示物にパッキングするデータパッカー（１３２）と、
各圧縮済みデータアンカーフレーム表示物を記憶するメモリー（１７０）と、
を備える、請求項３に記載の符号化システム。
【請求項５】  前記コントローラが、二次レート歪みモデルに従って前記ＧＯＦ情報構造と関連するビット割り当てレベルを適応する、請求項１に記載の符号化システム。
【請求項６】  前記エンコーダが複数の処理エレメント（１４００）を備え、各処理エレメントが、符号化されている処理済みの情報フレームのそれぞれの部分を符号化するように適応されており、前記それぞれの部分が、符号化されている情報フレームのスライス、マクロブロック又はブロックの内の１つを含む、請求項１に記載の符号化システム。
【請求項７】  各処理エレメントが、
符号化されている前記処理済み情報フレームの前記部分を基準情報フレームの対応する部分に関連付ける半画素動作ベクトルを発生する動作推定モジュール（１４１０）と、
符号化されている前記処理済み情報フレームの前記部分のコーディングモードを選択するモード選択モジュール（１４２０）であり、前記モード選択モジュールが前記半画素動作ベクトルを利用して前記コーディングモードを選択するモード選択モジュール（１４２０）と
を備える、請求項６に記載の符号化システム。
【請求項８】  各処理エレメントがさらに、
符号化されている前記処理済み情報フレームの前記部分をコーディングする、離散コサイン変換（ＤＣＴ）モジュール（１４４０）、量子化（Ｑ）モジュール（１４５０）及び可変長コーディング（ＶＬＣ）モジュール（１２０）の直列カップリング物と、
前記量子化（Ｑ）モジュールが発生した量子化済み情報ストリームに反応して前記基準情報フレームの部分を発生する、逆量子化（Ｑ−１）モジュール（１４６０）と逆離散コサイン変換（ＩＤＣＴ）モジュール（１４７０）の直列カップリング物と、
符号化されている前記処理済み情報フレームの前記部分を、前記動作推定モジュールが発生した情報と前記基準情報フレームとに従って予測する動作補償モジュール（１４８０）と
を備える、請求項７に記載の符号化システム。
【請求項９】  符号化システムであって、
複数の情報フレーム（ＩＮ）を受信して処理し、これによって複数の処理済み情報フレーム（ＩＮ’）を発生するプリプロセッサ（１０１、１０２）であり、前記プリプロセッサが、前記複数の情報フレーム内でフレーム間情報不連続性の印（ＳＣＰ、ＳＣＮ）を識別して発生し、前記複数の情報フレームから冗長フレームを除去するプリプロセッサ（１０１、１０２）と、
実質的にフレームグループ（ＧＯＦ）情報構造に従って前記複数の予備処理された情報フレームの各々を符号化するエンコーダ（１０４）であって、実質的にフレームグループ（ＧＯＦ）情報構造に従って前記複数の予備処理済み情報フレームの各々を形成する予備処理済み情報フレーム部分を符号化する複数の処理エレメント（１４００）を含む、当該エンコーダ（１０４）と、
前記複数の情報フレーム内での前記フレーム間情報不連続性の前記印に反応して前記ＧＯＦ情報構造を適応し、前記複数の情報フレーム内の冗長フレームの除去に反応して前記ＧＯＦ情報構造に関連したビット割り当てレベルを適応するコントローラ（１４０）と
を備え、
前記処理エレメントの各々は、符号化されるべき処理済み情報フレームの各部分を符号化する、
符号化システム。
【請求項１０】  前記処理エレメントの各々が、動作推定機能と符号化モード判断機能の双方に対して半画素動作推定データを利用し、また、前記半画素推定データがキャッシュメモリー中に記憶される、請求項９に記載の符号化システム。
【請求項１１】  前記プリプロセッサが、符号化されている各それぞれの処理済み情報フレームと関連する複数の詳細ピラミッドＰＧの各々のパッキング済みデータ表示物を発生するデータパッカー（１０２−３）を含み、
前記処理エレメントの各々が、前記基準情報フレームと関連する複数の詳細ピラミッドの各々のそれぞれパッキング済みデータ表示物を発生するそれぞれのデータパッカー（１３２）を含む、請求項１０に記載の符号化システム。
【請求項１２】  映像フレームのシーケンスを符号化する方法であって、
前記情報フレームシーケンスのある部分を処理することで、処理済み情報フレームシーケンスと、前記処理済み情報フレームシーケンス内のフレーム間情報不連続性と冗長フレームのそれぞれの印とを発生する処理工程と、
フレームグループ（ＧＯＦ）情報構造とビット予算に実質的に従って符号化する工程であり、符号化済みの情報フレームシーケンスを発生する前記処理済み情報フレームシーケンスが、前記ＧＯＦ情報構造によって決定されたタイプのアンカーフレームを含む、当該工程と、
前記処理済み情報フレームシーケンス内のフレーム間情報不連続性の前記印に反応して前記ＧＯＦ情報構造を適応する工程と、
前記処理済み情報フレームシーケンス内の冗長フレームの前記印に反応して前記ビット予算を適応する工程と
を含み、
前記処理工程は、
前記複数の情報フレームの空間的雑音パラメータと一時的雑音パラメータの内の少なくとも一方を測定する工程と、
前記空間的雑音パラメータが空間的雑音しきい値レベルを超えたことに反応して、前記処理済み情報フレームシーケンスを形成する前記情報フレームの内の１つ以上に、空間的平滑化機能を付与する工程と、
前記一時的雑音パラメータが一時的雑音しきい値レベルを超えたことに反応して、前記処理済み情報フレームシーケンスを形成する前記情報フレームの内の１つ以上に、一時的平滑化機能を付与する工程と
を含む、当該方法。
【請求項１３】  前記ＧＯＦ情報構造を適応する前記工程が、
内部コーディング済みアンカーフレームとして、前記情報不連続性に一時的に続くアンカーフレームを定義する工程と、
予測的にコーディングされたアンカーフレームとして、前記情報不連続性に一時的に続く別のアンカーフレームを定義する工程と
を含む、請求項１２に記載の方法。
【請求項１４】  前記ビット予算を適応する前記工程が、
前記処理済み情報フレームシーケンス内の前記冗長フレームを除去する工程と、
前記除去された冗長フレームと関連するビット割り当てレベルに従って前記ビット予算を増加させる工程と
を含む、請求項１２に記載の方法。
【請求項１５】  前記処理済み情報フレームシーケンスを形成する前記情報フレームの各々をそれぞれの詳細ピラミッド中に分解する工程をさらに含み、
前記処理済み情報フレームシーケンスを符号化する前記工程が、
各非アンカーフレームを形成する複数の情報フレーム領域の各々に対して、前記それぞれの詳細ピラミッドを用いてそれぞれのフレーム間動作パラメータを推定する工程と、
各非アンカーフレームを形成する前記複数の情報フレーム領域の各々に対して、それぞれのコーディングモードを決定する工程と、
前記それぞれのコーディングモードに従って、前記複数の情報フレーム領域の各々を符号化する工程と、
を含み、
各非アンカーフレームを形成する前記情報フレーム領域の内の少なくとも２つが、パイプライン式に動作するそれぞれの処理エレメントを用いて実質的に同時に処理される、請求項１２に記載の方法。